(57)【要約】      （修正有）【課題】筒状に形成したビニールシートを設定長さに切断して切断シートを形成可能とする一方、切断シートの一部を切除して開口部を現出させ、切断シートを雨具用ポンチョやゴミ袋などとして機能させる小分け可能な連続するビニールシート構造を提供する。【解決手段】長手方向に延びるビニールシート構造において、ビニールシートを筒状に形成し、ビニールシートには、ビニールシートを設定長さに切断して切断シート３を形成可能とする切り離し用切断手段４を設ける一方、切断シート３の一部を切除して開口部を現出させる開口用切除手段５を設けている。切り離し用切断手段４と開口用切除手段５とは、共にミシン目により形成される。【選択図】図１
0003214374.tif 000002
【実用新案登録請求の範囲】
【請求項１】
長手方向に延びるビニールシート構造において、このビニールシートを筒状に形成し、前記ビニールシートには、このビニールシートを設定長さに切断して切断シートを形成可能とする切り離し用切断手段を設ける一方、前記切断シートの一部を切除して開口部を現出させる開口用切除手段を設けたことを特徴とする小分け可能な連続するビニールシート構造。
【請求項２】
前記切り離し用切断手段と前記開口用切除手段とは、共にミシン目により形成したことを特徴とする請求項１記載の小分け可能な連続するビニールシート構造。
【請求項３】
前記切断シートを雨具用ポンチョとして使用する際には、前記ビニールシートから前記切り離し用切断手段によって設定長さの切断シートを形成した後に、この切断シートを前記開口用切除手段によって前記開口部を現出させ、この開口部を頭部の貫通部位として機能させることを特徴とする請求項１記載の小分け可能な連続するビニールシート構造。
【考案の詳細な説明】
【技術分野】
【０００１】
この考案は、小分け可能な連続するビニールシート構造に係り、特に連続するビニールシートを設定長さに切断して切断シートを形成し、この切断シートを雨具用ポンチョやゴミ袋などの使用形態を実現する小分け可能な連続するビニールシート構造に関する。
【背景技術】
【０００２】
従来、ビニル基を持つ化学物質の重合によって高分子樹脂・繊維の総称であるビニールが開発されている。
そして、このビニールの用途としては、ビニールシートやゴミ袋などに使用されている。
また、後述の特許文献１のように、ビニールシートを雨具として利用するものも提案されている。
【先行技術文献】
【特許文献】
【０００３】
【特許文献１】実用新案登録第３１７４４１１号公報
【考案の概要】
【考案が解決しようとする課題】
【０００４】
ところで、従来のビニールシートにおいて、大寸法のものは、レジャーシートやピクニックシート、保護用のブルーシートなどに使用されている。
しかし、上記のようなビニールシートにおいては、用途が限定されているため、汎用性が少ないという不都合があった。
つまり、ビニールシートを小寸法に切断しても、単なるシート片となるのみであるため、用途が拡大することはなかった。
この結果、ビニールシートの用途拡大を図るべく、改善が望まれていた。
【０００５】
本考案の目的は、筒状に形成したビニールシートを設定長さに切断して切断シートを形成可能とする一方、切断シートの一部を切除して開口部を現出させ、切断シートを雨具用ポンチョやゴミ袋などとして機能させる小分け可能な連続するビニールシート構造を提供することにある。
【課題を解決するための手段】
【０００６】
そこで、本考案は、上述不都合を除去するために、長手方向に延びるビニールシート構造において、このビニールシートを筒状に形成し、前記ビニールシートには、このビニールシートを設定長さに切断して切断シートを形成可能とする切り離し用切断手段を設ける一方、前記切断シートの一部を切除して開口部を現出させる開口用切除手段を設けたことを特徴とする。
【考案の効果】
【０００７】
この考案によれば、筒状に形成したビニールシートを設定長さに切断して切断シートを形成可能とするとともに、切断シートの一部を切除して開口部を現出させている。
従って、切断シートを雨具用ポンチョやゴミ袋などとして機能させることができ、用途を拡大して、汎用性を向上し得る。
また、切断シートの用途としては、以下のものが可能である。
（１）野球やサッカーなどのスポーツスタジアムや、屋外コンサート会場、花火大会、駅、百貨店などに設置し、緊急時の「雨具用ポンチョ」として使用できる。
（２）また、「雨具用ポンチョ」を、災害時の防風・防寒アイテムとして使用することもできる。
（３）更に、「雨具用ポンチョ」に企業ロゴや広告などからなる広告内容を印刷した広告媒体として使用することもできる。
【図面の簡単な説明】
【０００８】
【図１】図１は、切断シートの概略説明図である。（実施例１）
【図２】図２は、ビニールシートの概略斜視図である。（実施例１）
【図３】図３は、切断シートをポンチョとして使用した状態の説明図である。（実施例１）
【図４】図４は、ビニールシートの概略斜視図である。（実施例２）
【図５】図５は、切断シートの概略説明図である。（実施例３）
【図６】図６は、切断シートをポンチョとして使用した状態の説明図である。（実施例３）
【図７】図７は、切断シートの概略説明図である。（実施例４）
【図８】図８は、切断シートの使用形態を示し、（ａ）は切断シートをレジャーシートとして使用した状態の斜視図、（ｂ）は切断シートを開口用切除手段によって切除した状態の説明図、（ｃ）は切断シートをゴミ袋として使用した状態の説明図である。（実施例４）
【図９】図９は、切断シートの使用形態を示し、（ａ）は切断シートをポンチョ形態の広告媒体として使用した状態の説明図、（ｂ）は切断シートをゴミ袋形態の広告媒体として使用した状態の説明図である。（実施例５）
【考案を実施するための形態】
【０００９】
以下図面に基づいてこの考案の実施例を詳細に説明する。
【実施例１】
【００１０】
図１〜図３はこの考案の実施例１を示すものである。
図２において、１は筒状に形成したビニールシート（素材としては、ポリエチレンビニールなどからなる。）、２はロール状に巻いたビニールシート１を収容する収容カバーである。
そして、前記ビニールシート１には、このビニールシート１を設定長さに切断して切断シート３を形成可能とする切り離し用切断手段４を設ける。
この切り離し用切断手段４は、前記ビニールシート１の長手方向に対して直交するように幅方向に延びて、筒状の前記ビニールシート１を閉塞する溶着線部４−１と、この溶着線部４−１よりも開放端（図１において下側）ＯＰから離間するように形成されるミシン目からなる切断線部４−２とを備えている。
さすれば、前記切り離し用切断手段４のミシン目の切断線部４−２に沿って切断することにより、図１に示す如く、小分けにした１箇所のみに開放端ＯＰを有する袋状の前記切断シート３を形成することができる。
【００１１】
また、前記切断シート３には、開口用切除手段５を設ける。
この開口用切除手段５は、前記切断シート３の一部、例えば前記溶着線部４−１近傍、かつ、この溶着線部４−１よりも開放端ＯＰ側の中央部位を切除して開口部６を現出させるとともに、前記切断線部４−２と同様にミシン目からなる頭部用の開口切除線部５−１を備えている。
なお、前記開口部６を現出させる方策においては、直線状のミシン目による現出方策のみでなく、前記開口切除線部５−１を、円弧状あるいは十字状、または前記溶着線部４−１に対して直交するように形成することも可能である。
また、必要に応じて、前記開口切除線部５−１に対して直行し、かつ、前記切断シート３の両側部位に腕部用の開口切除線部６−１、６−２（図１の１点鎖線参照。）を形成することも可能である。
そして、この実施例１においては、前記切断シート３を「雨具用ポンチョ」として機能させるために、前記開口切除線部５−１を前記溶着線部４−１よりも短く形成し、頭部の貫通可能な前記開口部６を形成するものである。
【００１２】
次に作用を説明する。
【００１３】
前記ビニールシート１から「雨具用ポンチョ」として機能させる前記切断シート３を形成する際には、図２に示す如く、まず、前記ビニールシート１を前記切り離し用切断手段４のミシン目の切断線部４−２に沿って切断し、図１に示す如く、小分けにした前記切断シート３を形成する。
また、前記切断シート３に形成した前記開口用切除手段５の前記開口切除線部５−１に沿って切除し、頭部の貫通可能な前記開口部６を現出させる。
そして、この開口部６に前記切断シート３の内側から頭部を貫通させ、図３に示す如く、切断シート３を「雨具用ポンチョ」として被るように装着する。
【００１４】
これにより、この実施例１においては、長手方向に延びるビニールシート構造において、前記ビニールシート１を筒状に形成し、ビニールシート１には、このビニールシート１を設定長さに切断して切断シート３を形成可能とする切り離し用切断手段４を設ける一方、前記切断シート３の一部を切除して開口部６を現出させる開口用切除手段５を設ける構成を備えている。
従って、前記ビニールシート１から前記切り離し用切断手段４によって前記切断シート３を切断するとともに、切断した切断シート３に前記開口用切除手段５によって前記開口部６を現出させることにより、切断シート３を容易に「雨具用ポンチョ」として機能させることができ、前記ビニールシート１の用途を拡大して、汎用性を向上し得る。
また、前記切り離し用切断手段４及び前記開口用切除手段５をミシン目によって形成することにより、切断や切除の際に、はさみやカッタなどの用具を使用しなくとも、手作業のみで対処することができ、使い勝手の向上にも寄与し得る。
更に、前記ビニールシート１の長手方向に対して、前記切断シート３から作成した「雨具用ポンチョ」の被る方向を一致させる構成としたことにより、筒状の前記ビニールシート１の形状をそのまま利用することができるとともに、必要に応じて腕部用の開口切除線部６−１、６−２を形成すれば、十分な雨具としての機能を発揮し得るものである。
また、前記切断シート３の用途としては、例えば以下のものが可能である。
（１）野球やサッカーなどのスポーツスタジアムや、屋外コンサート会場、花火大会、駅、百貨店などに設置し、緊急時の「雨具用ポンチョ」として使用できる。
（２）また、「雨具用ポンチョ」を、災害時の防風・防寒アイテムとして使用することもできる。
【実施例２】
【００１５】
図４はこの考案の実施例２を示すものである。
この実施例２において、上述実施例１のものと同一機能を果たす箇所には、同一符号を付して説明する。
【００１６】
上述実施例１においては、前記ビニールシート１の長手方向に対して、前記切断シート３から作成した「雨具用ポンチョ」の被る方向を一致させる構成としたが、この実施例２の特徴とするところは、「雨具用ポンチョ」の被る方向を変更した点にある。
【００１７】
すなわち、前記ビニールシート１１には、このビニールシート１１を設定長さ、例えばビニールシート１１の幅を１６００ｍｍとした際には長さがほぼ同様の１６００ｍｍとなるように切断して切断シート１２を形成可能とする切り離し用切断手段１３を設ける。
なお、前記ビニールシート１１の幅を１０００ｍｍとし、「雨具用ポンチョ」として機能させた際に、高さ寸法１０００ｍｍ×幅寸法１４００ｍｍとすることも可能である。
前記切り離し用切断手段１３は、前記ビニールシート１１の長手方向に対して直交するミシン目からなる切断線部１３−１を備えている。
なお、この切断線部１３−１の形成に際しては、切断線部１３−１を挟み、かつ、前記ビニールシート１１の一部を溶着するように２本の溶着線部（図示せず）を形成し、「雨具用ポンチョ」として機能させた際に、両脇部分の開放を防止する構成とすることも可能である。
そして、前記切り離し用切断手段１３のミシン目の切断線部１３−１に沿って切断することにより、小分けにした袋状の前記切断シート１２を形成することができる。
このとき、開放端は、図４に示す如く、上部開放端ＯＰ１と下部開放端ＯＰ２とからなる。
【００１８】
また、前記切断シート１２には、開口用切除手段１４を設ける。
この開口用切除手段１４は、前記切断シート１２の一側、例えば図４において右側の中央部位に円弧状の開口部１５を現出させるミシン目からなる頭部用の開口切除線部１４−１を備えている。
なお、必要に応じて、前記開口切除線部５−１に対して直行し、かつ、前記切断シート３の両側部位に腕部用の開口切除線部６−１、６−２（図１の１点鎖線参照。）を形成することも可能である。
更に、前記切断シート１２の他側、例えば図４において左側においては、前記切断シート１２を「雨具用ポンチョ」として機能させた際に、この「雨具用ポンチョ」の下部に下部開口１７を現出させるために、下部開口用切除線部１６を形成する。
【００１９】
さすれば、前記ビニールシート１１から「雨具用ポンチョ」として機能させる前記切断シート１２を形成する際には、図４に示す如く、まず、前記ビニールシート１１を前記切り離し用切断手段１３のミシン目の切断線部１３−１に沿って切断し、小分けにした前記切断シート１２を形成する。
また、前記切断シート１２に形成した前記開口用切除手段１４の前記開口切除線部１４−１に沿って切除し、頭部の貫通可能な前記開口部１５を現出させる。
更に、前記切断シート１２の他側、例えば図４において左側を、前記下部開口用切除線部１６に沿って切除し、「雨具用ポンチョ」の下部に前記下部開口１７を現出させる。
そして、この下部開口１７から前記切断シート１２の内側に頭部を入れ、前記開口部１５に前記切断シート１２の内側から頭部を貫通させ、切断シート１２を「雨具用ポンチョ」として被るように装着する。
【００２０】
これにより、この実施例２においては、長手方向に延びるビニールシート構造において、前記ビニールシート１１を筒状に形成し、ビニールシート１１には、このビニールシート１１を設定長さに切断して切断シート１２を形成可能とする切り離し用切断手段１３を設ける一方、前記切断シート１２の一部を切除して開口部１５を現出させる開口用切除手段１４を設ける構成を備えている。
従って、前記ビニールシート１１から前記切り離し用切断手段１３によって前記切断シート１２を切断するとともに、切断した切断シート１２に前記開口用切除手段１４によって前記開口部１５を現出させることにより、上述実施例１と同様に、切断シート１２を容易に「雨具用ポンチョ」として機能させることができ、前記ビニールシート１１の用途を拡大して、汎用性を向上し得る。
また、前記切り離し用切断手段１３及び前記開口用切除手段１４をミシン目によって形成することにより、上述実施例１と同様に、切断や切除の際に、はさみやカッタなどの用具を使用しなくとも、手作業のみで対処することができ、使い勝手の向上にも寄与し得る。
更に、前記ビニールシート１１の長手方向に対して、前記切断シート１２から作成した「雨具用ポンチョ」の被る方向を変更し、直交させる構成としたことにより、筒状の前記ビニールシート１１の開口部位を「雨具用ポンチョ」装着時の側面部位として、そのまま利用することができ、腕部の移動が容易となり、十分な雨具としての機能を発揮し得るものである。
また、前記切断シート１２の用途としては、以下のものが可能である。
（１）野球やサッカーなどのスポーツスタジアムや、屋外コンサート会場、花火大会、駅、百貨店などに設置し、緊急時の「雨具用ポンチョ」として使用できる。
（２）また、「雨具用ポンチョ」を、災害時の防風・防寒アイテムとして使用することもできる。
【実施例３】
【００２１】
図５〜図６はこの考案の実施例３を示すものである。
【００２２】
この実施例３の特徴とするところは、ビニールシート２１を所定長さに切断して切断シート２２を形成した後に、この切断シート２２から作成した「雨具用ポンチョ」の被る方向を対角線と一致させる構成とした点にある。
【００２３】
すなわち、前記ビニールシート２１には、このビニールシート２１を設定長さに切断して前記切断シート２２を形成可能とする切り離し用切断手段２３を設ける。
この切り離し用切断手段２３は、前記ビニールシート２１の長手方向に対して直交するように幅方向に延びて、筒状の前記ビニールシート２１を閉塞する溶着線部２３−１と、この溶着線部２３−１よりも開放端（図５において下側）ＯＰから離間するように形成されるミシン目からなる切断線部２３−２とを備えている。
さすれば、前記切り離し用切断手段２３のミシン目の切断線部２３−２に沿って切断することにより、図５に示す如く、小分けにした１箇所のみに開放端ＯＰを有する袋状の前記切断シート２２を形成することができる。
【００２４】
また、前記切断シート２２には、開口用切除手段２４を設ける。
この開口用切除手段２４は、前記切断シート２２の一部、例えば図５において前記切断シート２２の左側上部に円形状の開口部２５を現出させるミシン目からなる頭部用の開口切除線部２４−１を備えている。
更に、前記切断シート２２の一側、例えば図５において右側部位には、前記切断シート２２を「雨具用ポンチョ」として機能させた際に、この「雨具用ポンチョ」の下部に下部開口２７の一部を現出させるために、図５の右側部位で上下方向に延びるミシン目からなる下部開口用切除線部２６とを備えている。
つまり、前記下部開口２７は、前記切断シート２２の対角線Ｌを利用して「雨具用ポンチョ」として機能させた際に、前記開放端ＯＰと前記下部開口用切除線部２６によって現出される開口とにより形成される。
【００２５】
さすれば、前記ビニールシート２１から「雨具用ポンチョ」として機能させる前記切断シート２２を形成する際には、まず、前記ビニールシート２１を前記切り離し用切断手段２３のミシン目の切断線部２３−１に沿って切断し、小分けにした前記切断シート２２を形成する。
また、前記切断シート２２に形成した前記開口用切除手段２４の前記開口切除線部２４−１に沿って切除し、頭部用の前記開口部２５を現出させる。
更に、前記切断シート２２の一側、例えば図５において右側を、前記下部開口用切除線部２６に沿って切除し、「雨具用ポンチョ」に前記下部開口２７を現出させる。
そして、この下部開口２７から前記切断シート２２の内側に向かって対角線Ｌ方向に頭部を入れ、前記開口部２５に前記切断シート１２の内側から頭部を位置させ、切断シート２２を「雨具用ポンチョ」として被るように装着する。
【００２６】
これにより、この実施例３においては、長手方向に延びるビニールシート構造において、前記ビニールシート２１を筒状に形成し、ビニールシート２１には、このビニールシート２１を設定長さに切断して切断シート２２を形成可能とする切り離し用切断手段２３を設ける一方、前記切断シート２２の一部を切除して開口部２５を現出させる開口用切除手段２４を設ける構成を備えている。
従って、前記ビニールシート２１から前記切り離し用切断手段２３によって前記切断シート２２を切断するとともに、切断した切断シート２２に前記開口用切除手段２４によって前記開口部２５を現出させることにより、上述実施例１及び２と同様に、切断シート２２を容易に「雨具用ポンチョ」として機能させることができ、前記ビニールシート２１の用途を拡大して、汎用性を向上し得る。
また、前記切り離し用切断手段２３及び前記開口用切除手段２４をミシン目によって形成することにより、上述実施例１及び２と同様に、切断や切除の際に、はさみやカッタなどの用具を使用しなくとも、手作業のみで対処することができ、使い勝手の向上にも寄与し得る。
更に、前記ビニールシート２１から切断して前記切断シート２２から作成した「雨具用ポンチョ」の被る方向を変更し、対角線Ｌ方向とする構成としたことにより、「雨具用ポンチョ」の長さを長い状態として使用することが可能となり、幅方向の寸法の短い筒状の前記ビニールシートであっても有効に利用することができ、十分な雨具としての機能を発揮し得るものである。
また、前記切断シート２２の用途としては、以下のものが可能である。
（１）野球やサッカーなどのスポーツスタジアムや、屋外コンサート会場、花火大会、駅、百貨店などに設置し、緊急時の「雨具用ポンチョ」として使用できる。
（２）また、「雨具用ポンチョ」を、災害時の防風・防寒アイテムとして使用することもできる。
【実施例４】
【００２７】
図７〜図８はこの考案の実施例４を示すものである。
【００２８】
この実施例４の特徴とするところは、ビニールシート３１から切断した切断シート３２を、「雨具用ポンチョ」以外の用途である「レジャーシート」や袋物である、例えば「ゴミ袋」として使用する構成とした点にある。
【００２９】
すなわち、前記ビニールシート３１には、このビニールシート３１を設定長さとなるように切断して切断シート３２を形成可能とする切り離し用切断手段３３を設ける。
この切り離し用切断手段３３は、前記ビニールシート３１の長手方向に対して直交するように幅方向に延びて、筒状の前記ビニールシート３１を閉塞する溶着線部３３−１と、この溶着線部３３−１よりも開放端（図５において上側）ＯＰから離間するように形成されるミシン目からなる切断線部３３−２とを備えている。
さすれば、前記切り離し用切断手段３３のミシン目の切断線部３３−２に沿って切断することにより、図７に示す如く、小分けにした１箇所のみに開放端ＯＰを有する袋状の前記切断シート３２を形成することができる。
【００３０】
また、前記切断シート３２には、開口用切除手段３４を設ける。
この開口用切除手段３４は、前記切断シート３２において、例えば図７において左端近傍から右端まで延びる直線状の開口部３５を現出させるミシン目からなる開口切除線部３４−１を備えている。
なお、この前記開口切除線部３４−１は、開放端ＯＰ側に形成されるため、前記開口部３５を現出させる機能以外にも、端部を前記切断シート３２の左端に接続した状態で残るヒモ部３６を現出させる機能をも有している。
【００３１】
さすれば、前記ビニールシート３１から方形の「レジャーシート」として機能させる前記切断シート３２を形成する際には、前記ビニールシート３１を前記切り離し用切断手段３３のミシン目の切断線部３３−１に沿って切断し、小分けにした方形の前記切断シート３２を形成する。
そして、この切断シート３２を、図８（ａ）に示す如く、「レジャーシート」として使用する。
また、前記切断シート３２に形成した前記開口用切除手段３４の前記開口切除線部３４−１に沿って切除し、図８（ｂ）に示す如く、前記開口部３５を現出させるとともに、前記ヒモ部３６をも現出させる。
そして、前記開口部３５から前記切断シート３２内にゴミを入れることが可能となり、図８（ｃ）に示す如く、前記ヒモ部３６にて前記開口部３５を縛ることによって、ゴミ袋として使用する。
【００３２】
これにより、この実施例４においては、長手方向に延びるビニールシート構造において、前記ビニールシート３１を筒状に形成し、ビニールシート３１には、このビニールシート３１を設定長さに切断して切断シート３２を形成可能とする切り離し用切断手段３３を設ける一方、前記切断シート３２の一部を切除して開口部３５を現出させる開口用切除手段３４を設ける構成を備えている。
従って、前記ビニールシート３１から前記切り離し用切断手段３３によって前記切断シート３２を切断するとともに、切断した切断シート３２に前記開口用切除手段３４によって前記開口部３５を現出させることにより、切断シート３２を容易に「レジャーシート」や「ゴミ袋」として機能させることができ、前記ビニールシート３１の用途を拡大して、汎用性を向上し得る。
また、前記切り離し用切断手段３３及び前記開口用切除手段３４をミシン目によって形成することにより、切断や切除の際に、はさみやカッタなどの用具を使用しなくとも、手作業のみで対処することができ、使い勝手の向上にも寄与し得る。
【実施例５】
【００３３】
図９はこの考案の実施例５を示すものである。
【００３４】
この実施例５の特徴とするところは、ビニールシート４１から切断した切断シートを広告媒体として使用する構成とした点にある。
【００３５】
すなわち、前記ビニールシート４１の所定部位に広告内容、例えば「ＡＢＣＤ」の文字を印刷し、図示しない切り離し用切断手段及び開口用切除手段を利用してビニールシート４１を設定長さとなるように切断した際に、前記切断シートを広告媒体とするものである。
【００３６】
さすれば、前記切断シートを、例えば「雨具用ポンチョ」として使用するポンチョ用切断シート４２−１とした際には、図９（ａ）に示す如く、ポンチョ用切断シート４２−１の前面部位や後面部位に広告内容の「ＡＢＣＤ」の文字を開示する。
また、前記切断シートを、「ゴミ袋」として使用するゴミ袋用切断シート４２−２とした際には、図９（ｂ）に示す如く、ゴミ袋用切断シート４２−２の側面部位に広告内容の「ＡＢＣＤ」を開示する。
【００３７】
これにより、この実施例５においては、長手方向に延びるビニールシート構造において、前記ビニールシート４１を筒状に形成し、ビニールシート４１には、このビニールシート４１を設定長さに切断して切断シート４２−１、４２−２を形成可能とする切り離し用切断手段を設ける一方、前記切断シート４２−１、４２−２の一部を切除して開口部を現出させる開口用切除手段を設ける構成を備えている。
従って、前記ビニールシート４１から前記切り離し用切断手段によって前記切断シート４２−１、４２−２を切断するとともに、切断した切断シート４２−１、４２−２に前記開口用切除手段によって前記開口部を現出させることにより、切断シート４２−１、４２−２を容易に「雨具用ポンチョ」や「ゴミ袋」として機能させることができるとともに、広告媒体として使用することができ、前記ビニールシート４１の用途を拡大して、汎用性を向上し得る。
また、前記切り離し用切断手段及び前記開口用切除手段をミシン目によって形成することにより、切断や切除の際に、はさみやカッタなどの用具を使用しなくとも、手作業のみで対処することができ、使い勝手の向上にも寄与し得る。
更に、前記切断シート４２−１、４２−２の用途としては、以下のものが可能である。
（１）野球やサッカーなどのスポーツスタジアムや、屋外コンサート会場、花火大会、駅、百貨店などに設置し、緊急時の「雨具用ポンチョ」として使用できるとともに、この「雨具用ポンチョ」を、災害時の防風・防寒アイテムとして使用することもでき、しかも、前記「雨具用ポンチョ」に企業ロゴや広告などからなる広告内容を印刷した広告媒体として使用することもできる。
【００３８】
なお、この考案は上述実施例１〜５に限定されるものではなく、種々の応用改変が可能である。
【００３９】
例えば、この考案の実施例１〜４において、実施例１〜３はビニールシートから「雨具用ポンチョ」として機能させる切断シートを形成する構成とするとともに、実施例３はビニールシートから「レジャーシート」や袋物である、例えば「ゴミ袋」として機能させる切断シートを形成する構成としたが、溶着線部を手の形状にする特別構成とすることも可能である。
すなわち、手の形状に合致するように切断シートに溶着線部を形成し、ビニールシートから切り離し用切断手段によって切断シートを切断した後に、溶着線部の外側部位を手の形状に切除して簡易な手袋を形成するものである。
さすれば、ビニールシートから切断した切断シートを容易に簡易な「手袋」として機能させることができ、汚物などの処理に著効を奏するものである。
【００４０】
また、ビニールシートから切り離し用切断手段によって切断シートを切断した後に、この切断シートに開口用切除手段によって複数個の小径な開口部を形成する構成とすれば、「水切り袋」や簡易な「虫かご」などとして機能させることも可能である。
【符号の説明】
【００４１】
１  ビニールシート
２  収容カバー
３  切断シート
４  切り離し用切断手段
４−１  溶着線部
４−２  切断線部
５  開口用切除手段
５−１  開口切除線部
６  開口部
６−１、６−２  腕部用の開口切除線部
ＯＰ  開放端（図１において下側）
【図１】
0003214374.tif 000003
【図２】
0003214374.tif 000004
【図３】
0003214374.tif 000005
【図４】
0003214374.tif 000006
【図５】
0003214374.tif 000007
【図６】
0003214374.tif 000008
【図７】
0003214374.tif 000009
【図８】
0003214374.tif 000010
【図９】
0003214374.tif 000011